(57)【要約】デイジタルデータは、今まで製造者に特有なデータ書式及び記録書式で記憶に記憶される。これらの書式は利用者によっては変更不可能である。それぞれの製造者のデータ書式及び記録プロコトルについて知らされる各人がすべて同じ構造の記憶媒体で有効データを明白に確認しかつ読み出すことができる、という問題がこれらすべての発明の基礎になっている。ＨＳＭキーにより得られる利点は、データ書式、記録書式及びすべての信号レベルが利用者により個人的にプログラミング可能である点にある。これらの記憶パラメータについて知らされない他の人間は、許されないアクセスの際、本来の有効データが濾過されない一連の種々の信号レベルのみを得る。ＨＳＭキーは、種々のＨＳＭアダプタにより、なんらかの形でデータを送受信する各システム及び各プラットホームにおいて使用されることができる。
2004521432.tif 000002
【特許請求の範囲】
【請求項１】
例えばハードデイスク，磁気テープ，デイスケツト，ＣＤ−ＲＷ，光デイスク及びここには説明されないすべての他の書き込み／読み取り媒体のような種々の媒体へのデイジタルデータの記憶であって、使用されるデータ書式及び／又は記憶媒体又は書き込み／読み取り装置の製造者の記憶プロコトルが固定的に規定され、利用者により変化不可能であり、記憶媒体が大抵の場合特定のプラツトホームに結び付けられており、例えばマツキントツシユ計算機により書式化される３．５インチデイスケツトが、同じ構造形状にもかかわらず直ちにＩＢＭ−ＰＣで評価可能でないことを特徴とする、デイジタルデータの記憶
【請求項２】
データ書式及び／又は記憶媒体プロコトルも、利用者自体により自由にパラメータ化可能であり、常に変更可能であり、アナログ記録方式により、プラツトホーム及びハードウエアとは無関係なデータ記録媒体が生じることを特徴とする、請求項１に記載のデイジタルデータの記憶。
【発明の詳細な説明】
【０００１】
デイジタルデータは、例えば輸送のため又はデータ保護のためにのみ、種々の媒体に記憶可能である。そのため記憶媒体及び／又は書き込みー読み取り装置の製造者に応じて、利用者によっては変更可能な固定した所定のデータ書式及び／又は記録プロコトルが使用される。
【０００２】
製造者のデータ書式及び記録プロコトルを介して知らされる各人が、すべての利用者のすべての有効データを読み取って評価できるという問題が、請求項１に基く本発明の基礎となっている。利用者がこれらのデータを符号化アルゴリズムにより保護しようとしても、権限のない者が、記憶媒体の読み取りの際、少なくとも一次有効データを、それぞれのデータ媒体に有効データを記憶するためにのみ必要な二次プロコトルデータから明白に分離することができる。こうして求められる有効データへ、続いて例えば復号アルゴリズムを付加することができる。
【０００３】
この問題は、すべての記録パラメータの自由なパラメータ化可能性及び自由にパラメータ化可能なデータ書式の請求項２にあげた特徴によって解決される。
【０００４】
本発明により得られる利点は、特に固定的に規定されるデータ及び／又は記録書式の代わりに、内部又は外部ＨＳＭキーに、内部又は外部ＨＳＭアダプタによって、利用者により、個々にパラメータ化可能で自由に定義可能な記録書式又はデータ書式が使用可能である点にある。請求項１による発明では、最大２つの異なる信号レベル及び固定的に規定される連続的な周期化信号が、データの記憶のために使用されるが、請求項２による発明では、任意に多数の信号レベルが平行して使用され、ＨＳＭキーに記憶されることができる。データ記憶中にデータ書式又は記録書式を常に変更するか、又はその間に全く無用な情報を記憶することも可能である。データ書式及び記録プロコトルについて知らされない第２の人間は、許されないアクセスの際、特定数の異なる信号レベルのみを受ける。これらのレベルから、どの成分が例えば有効データ情報であるか、何が同期信号であるかは、識別不可能である。有効データのクリプトン分析評価は、既に最初に防止される。なぜならば、これらのデータは求められないからである。ＨＳＭキーへのデータの記憶はアナログ方法であるから、ＨＳＭアダプタで構成されるＨＳＭキーは、データをどれか１つの形で送信及び受信可能である限り、あらゆるシステムで任意のプラツトホームで使用することができる。ＨＳＭキーは、データ記憶後又は読み取り過程後に、ＨＳＭアダプタから取外して携行することができる。データは不揮発性メモリにあり、従って別のエネルギー供給には無関係である。
【０００５】
本発明の別の構成は請求項２に示されている。請求項２による展開は、多様なデータ情報を場合によってはデータ媒体の種々の記録パラメータと統合するのを可能にする。それによりＨＳＭキーは、現在の技術水準により種々のシステムに収容される多様な情報を記録媒体において統合するために使用可能である。ＨＳＭキーは、従って次のシステム又はその部分に対する完全な代用品として、使用されることができる。ＥＣカード代用品，Ｖｉｓａカード代用品，Ｍａｓｔｅｒカード代用品，Ｅｕｒｏカード代用品，Ａｍｅｒｉｃａｎ  Ｅｘｐｒｅｓｓカード代用品，電話カード代用品，他のすべての支払カード，クレジットカード又は銀行カード，自動車なしの印刷回路（例えばキーカード），ハードウエア又はソフトウエアのドングル代用品，健康保険の被保険者カード代用品，扉錠システム用のオープナ（複数を同時に、個人住宅，自動車，会社），労働時間検出システム（失業証明書代用品），データの記憶及び／又は利用者の確認に何らかの形で役立つ任意に他の媒体。
【０００６】
アクセス権限として、ＨＳＭキーのほかに、利用者にのみ知られたデータ書式及び記録システムも当てはまる。種々の機能の達成可能性のために、更に任意の長さの種々のパスワードも使用することができる。パスワードは、利用者によっても、カード発行者によるだけでなく規定することができ、常に自由に変更可能である。ＨＳＭキーによる若干の又は上述した例の代用品の利点は、次に詳細に説明される。
【０００７】
ＥＣカードの代用品
自体の現在の水準
例えばＥＣカード又は同種の媒体に設けられる磁気テープにより、持ち主が例えばＥＣ自動販売機における金の取出しを可能にするか、又は診察券代用品として医者に顧客データの検出を容易にするために、利用者情報を記憶することができる。
【０００８】
このＥＣカードの欠点
カード当りの少ない情報密度
各施設は固有のカードを持っている。これは顧客として不利である。なぜならば、顧客はこれらのカードの多くを持ち回らねばならないからである。
大抵のカードには、顧客の同じ情報，即ち名前，姓，生誕日及び場所，住所，及び特別な施設のために必要な情報を僅かな部分，例えば銀行取引関係が存在する。
情報は常に同じデータ書式でカードに記憶されるので、このようなカードは権限のない者により容易に読み取られ、しかもコピーされて使用されることがある。
例えばＥＣカードでは顧客にパスワードが銀行から予め与えられる。このパスワードは顧客により変更されることがなく、常に４桁であり、数時のみから成っている。
パスワード自体は符号化された形でＥＣカードに存在するか、又はカードの情報から求めることができることは、公式には確認されなくても、既にしばしば証明された。
各カードはただ１つの役割しか果たすことができない。
カードの磁気テープは、引き掻かれるか又は掻き傷をつけられることがあり、これがカードの再利用を不可能にする。
カードは例えば折れることがあり、それにより破壊されることがある。
顧客が銀行又は口座を変え、又はその掛け売り限度が変わると、少なくとも１つの新しいカードが必要になる。
顧客が例えば結婚の際その性を変えると、すべてのカードを代えねばならない。
必要な場合利用者が、例えば現在の口座残高又は宛名リスト又は電話リストのような個人データをカードに記憶することは、不可能である。
磁気テープカードに伴う問題では、施設の開館時間及び場合によってはそのその納期を新しい顧客のために指定されている。
【０００９】
従来のＥＣカードに対するＨＳＭキーの利点
ＨＳＭキーの一層高い情報密度
顧客に特有のデータが存在するマスタ範囲をＨＳＭキーに与えられることができる。更に個々の役割又は施設用の付加情報が存在する任意の数の二次範囲を与えることができる。
多くのＥＣ又は同種のカードの代わりに単一のＨＳＭを携行しさえすればよい。
ＨＳＭキー複数の異なる情報を記憶することができる。即ちただ１つのＨＳＭカードで他の仕事も行うことができる。
利用者自体は、任意の数及び任意の長さのパスワードを任意の符号又は記号から与えることができる。利用者自身に、どんなパスワードがカードのどんな情報のために用いられるかを決定する。例えば順次に入力すべき複数ののみでアクセス可能な領域も設けられる。
利用者自身は、カードのどんな情報をどんな施設へ転送すべきかを決定することができる。
利用者自身は、どんなデータ書式又はどんな記録書式でデータをカードに記憶すべきかを決定することができる。カードの記憶場所も自由に規定される。例えば緊急情報（例えば万一の事故のため糖尿病又は血液型又は緊急の場合の電話信号の指示）が、通常規格化されたデータ書式及び記録書式（例えば８ビット及び停止ビット及び同期化パルスを持つ２進記憶）で、パスワードなしにキーに記憶され、口座アクセス権限のような高度安全性情報は、利用者により任意に規定されるデータ書式（例えば２９ビット及び同期化パルスなしの種々の停止ビットレベル）で、ＨＳＭキーに記憶されることができる。
利用者に特有な個々の記録書式のため、ＨＳＭキーない様の権限のない読み取りの際、これらの内容を分析又は評価することができない。なぜならば、これらの内容は前もって再処理可能なデータ書式へ入れられねばならないからである。小さい構造及びそれにより破壊及び曲げに対して安全なケースへの可能な統合のため、データが機械的荷重によって失われることはない。
ＥＣカード情報のほかに、例えば宛名帳又は電話帳のような個人情報をＨＳＭキーに記憶することも可能である。
【００１０】
ドングル代用品
現在の技術水準
非常に高い一般及び特殊な保護要求（公共法律的及び個人法律的）を持つ多くの領域において、電気的媒体の更に増大する使用のため、今まで普通の保護方法は、危険及び不充分と思われる。高級なソフトウエア製品を許されないコピーから保護するため、現在の技術水準によれば、一般に種々の構造方式及び技術のいわゆるハードウエア又はソフトウエアドングルが使用される。専門に特有のソフトウエア製品の更に増大する使用のため、公共法律及び個人の分野において、ソフトウエアの新しい保護方法が必要と思われる。特に中小企業に対して、事故開発されたソフトウエア製品の保護が生存にとって決定的である。
【００１１】
ソフトウエア又はハードウエア領域において種々の解決策又は保護性、取扱い及び他のソフトウエア製品との組合わせにおいて非常に異なる混合解決策が、既に存在する。
【００１２】
いわゆるドングルの欠点
プログラム毎に１つのドングルが必要である。
個々のプログラムのみが保護されるが、プログラムのデータ又は全ＰＣは同時に保護されない。
１つのプログラム又は少なくとも１つのプログラムバージョンのためのすべてのドングルが同じである。従って権限のない人間が、ただ１つのドングルをコピー又は使用する際、これらのプログラムバージョンを使用するすべての利用者の個人データへアクセスする。
権限のない利用者が、ドングルをコピーするか、又は付加ソフトウエアとこれとエミユレートするか又は模擬するのに成功すると、この権限のない人間自身又は他の人間も同様にすべてのプログラムバージョン及びすべてのプログラムバージョンの利用者データへのアクセスを行うことができる。
ドングルがＰＣとプリンタとの間に取付けられるか、又は種々のプログラムの複数のドングルが直列に差込まれねばならない時、ドングルはＰＣにある既存のインタフエースを利用し、それにより非両立性を生じることがある。この理由から、ドングルは、万一の盗難を予防するために、夜には金庫に保管されねばならない。
ドングルには、一般に個々の利用者の確認を可能にする利用者特有のデータは収容されていない。
例えば化粧休憩のためにも、利用者は、高感度データとの交際の際、ドングルを計算機から遠ざけて鍵をかけるか、又は信頼できる監視員を連れて来なければならない。ドングルを遠ざけるため、計算機を大抵の場合降ろされ、ドングルが外されねばならない。
プログラムの種々の目的のために、種々のプログラムバージョンを製造せねばならない。これは、とりわけプログラムデモバージョン，プログラムの限定された利用可能性又は遅延に関係するプログラムバージョンに関する。これらすべてのプログラム二次バージョンに対して、それぞれ１つの新しいプログラムバージョンを作成せねばならない。潜在的顧客がデモバージョンからプログラム全バージョンへ又はプログラムバージョンのみからアップデートへ乗換えようとしても、大抵の場合新しいソフトウエアＣＤのほかに、新しいドングルの発送も必要である。
【００１３】
ＨＳＭキーの利点
多くのドングル及びパスワードの代わりにＨＳＭキー
ＨＳＭキーは、鍵束で便利に携行することができる。ＨＳＭキーはホットプラグ可能であり、即ち計算機が運転している場合、除去しかつ差込むことができる。
利用者自身が、付加的に任意に多くかつ任意の長さのパスワードを任意の符号及び記号から与えることができる。利用者自身が、カードのどんな情報のためにどんなパスワードを用いるかを決定する。例えば順次に入力すべき複数のパスワードでのみアクセス可能な領域も作成される。
利用者自身が、カードのどんな情報をどんなソフトウエアプログラムのために必要であるかを決定することができる。
利用者自身が、どんなデータ書式又はどんな記録書式でデータをカードに記憶すべきかを決定することができる。こうして各プログラム利用者がその個人のドングルを作成する。権限のない者にとって、簡単なコピーにより、すべてのプログラム利用者のプログラムバージョンを運転中に受入れることはもはや不可能である。
例えば付加プログラムＨＤセーブ又はＳＷセーブによって、１つのＨＳＭにより、すべての有効データを含む計算機全体を阻止することは不可能である。これについては、「ＨＳＭキーにより権限のないアクセスからデータを保護」を参照。
小さい形状及び破壊及び曲げに対して安全なケースへの可能な統合のため、データは機械的荷重により失われない。
ドングルの代用品としてＨＳＭキーを使用する際、従来のドングル技術によっては回避可能であった安全隙間が閉じられる。種々のドングルの間の非両立性は、ドングルのコピー可能性は模擬としてちょうど同じようになくなる。なぜならば、利用者自身が、ソフトウエア会社から送られるドングルデータをどのにどんな形で記憶するかを決定するからである。
例えば従来のＰＣにより、利用者が付加的に宛名表又は電話表のような任意の個人データもＨＳＭキーに記憶することが可能である。
ＨＳＭの自由に変更可能な既存のパラメータの簡単な変更により全バージョンを作るか、又は遅延限定を個々に変更することが可能である。ソフトウエアの作成の際ＨＳＭキーにより、次の可能性が与えられる。
ａ）個々の利用者に合わされる個人的なコピー保護。
ｂ）開始／停止及び日付／時刻により時間制限される利用。
ｃ）持／分の実際の利用時間により時間制限される利用。
ｄ）関係するソフトウエアのプログラム部分の細分化された管理。
ｅ）システム及びソフトウエアに特有なすべての関係するパラメータのもっともらしさの検査。
ｆ）誤差許容限界を含むすべての可能な保護侵害形成の細分化。
ｇ）ａ）〜ｆ）にあげたすべてのパラメータのアップデートがデータ又は遠隔アクセスを介して可能である。
ｈ）それぞれのソフトウエア又はハードウエア作成者に関係する任意の他のパラメータの実行。
【００１４】
ＨＳＭキーによる権限のないアクセスに対するデータの保護
非常に高度一般的及び特殊な保護要求を持つ多くの領域における電気的媒体の増大する使用のため、公共法律的及び個人法律的に、データの保護の今まで普通の方法が疑わしくかつ不充分と思われることは、周知である。
【００１５】
これらの方法の現在の技術水準及び欠点
局部的又は回路網で動作する固定設置の記憶媒体は、最良の場合システムのＢＩＯＳ／回路網パスワードにより保護される。交換可能な記憶媒体は、少なくとも装甲箱に保存することができる。しかし両方の場合盗難の際、記憶されている情報が殆ど障害なしに利用可能である。なぜならば、記憶媒体の製造者により、データ及び記録の書式が固定的に規定され、従って記憶媒体上で一次利用データが例えば同期化データ又は停止データのような二次補助データから区別可能だからである。例えば現在特殊会社から、ハードデイスクに組込まれているデータ媒体によってのみ、それに存在するデータを読み取り戻すことが可能である。
【００１６】
利用者に特有なデータの保護のためＨＳＭキーを使用する際の利点
本発明により得られる利点は、特に、付加ソフトウエアＨＤ−Ｓａｖｅ又はＳＷ−Ｓａｖｅとの共同動作でＨＳＭキーにより、種々の運転システムの下で動作できるＲＷ状況を持ち局部的に動作する記憶媒体が、許されないアクセスに対して保護されることである。この場合記憶媒体は、権限のない人間に対して利用不可能にされる。個人の限られる交際範囲のみが、ＨＳＭキーにより、記憶媒体を再び利用可能にする可農政を持つ。盗難又は許されないアクセスの場合、記憶媒体は存在しないか又は利用不可能であると思われる。
【００１７】
動作態様が以下に詳細に説明される。
保護は、例えばソフトウエアＨＤにより、保護すべき媒体（例えば走行装置ｃ）及びオプションを指示して、開始される。可能なオプションは（それぞれ１つ）
記憶媒体の選択された領域を保護デイスケットへ書き込み、記憶媒体の選択された領域の消去により、保護行われる。
選択された領域を記憶媒体へ戻し書き込むことにより、再利用が行われる。
最大保護の場合所要は１Ｍｉｎ／１ＧＢである。
【００１８】
錠システムとしてのＨＳＭキーの使用
種々の人間に、例えば企業の種々の分野への立入りを許すか又は拒絶するため、現在まだしばしば機械的錠システムが使用され、鍵が種々の順位で存在する。
例えば
すべての支所を持つ企業のすべての扉用の１つの一般親鍵、
それぞれ１つの別の所に置かれる企業部分のすべての扉用の種々の一般鍵、
別の所に置かれる企業部分のそれぞれ個々の部署用の種々の親鍵、
これらの部署の個々の扉又は扉組合わせ用の種々の鍵、
一層良好な錠装置は、現在ＥＣカードと対比可能な技術を使用している。しかし「ＥＣカード代用品」の所で既に説明された同じ欠点及び制限が当てはまる。
【００１９】
これらの機械的立入り制限装置の欠点
このような錠装置の配分及び保守のために高い管理者が必要である。
人間が順次において上昇又は下降すると、鍵を交換せねばならない。
錠装置は、初めから精確に設計されねばならない。他の部分領域における人間の一時的な滞在は、悪く実現可能である。
個々の部署の引越し及び／又は拡張の際、場合によっては複数の錠シリンダの交換が必要である。
鍵の紛失の際、鍵の順位に応じて、場合によっては鍵装置全体の交換が必要である。
個々の人間の一時的例えば夜間の立入り制限が不可能である。
会社からの協力者の退社の際、人は鍵の引渡しに関係する。
種々の鍵システムは種々の鍵を必要にする。
人は自分の家族，会社，自動車，種々の会社の世話をする清掃会社，複数の会社の所有者のことのみを考える。
素材が存在すると、各機械的鍵がコピーされることがある。
素材が存在しないと、鍵を何らかの方法で製造することもできる。
【００２０】
鍵代用品としてのＨＳＭキーの利点
各扉には、ＨＳＭアダプタが組込まれ、中央計算機又はＨＳＭキーにおいて、どの扉をどのＨＳＭキーで開くことができるかが記憶される。これは完全に自由にパラメータ化可能な鍵装置の利点をもたらす。
各人間のための個人的な立入り権限が個々に作成可能である。
鍵紛失の際に問題がない。鍵はデータバンクにおいて簡単に消去されます。
複数の鍵装置が、ＨＳＭキーにより求めに応じて操作可能である。
ポケツトにある事情によってはかなりの鍵束が廃止される。
時間に関係する立入り制限が自由に規定可能である。
鍵所有者及び鍵の存在は、万一の変更の際必要でない。
ＨＳＭキーにある個人的なデータ及び記録書式のため、錠システムへのアクセスは素材によっては行われない。
【００２１】
要約及び種々の他の記憶媒体の代わりにＨＳＭキーを使用する別の可能性
ＨＳＭキーの高い情報密度
名前及び宛名のような顧客特有のデータが存在する親領域が存在することができる。更に個々の課題又は施設用の付加情報が存在する任意の多数の二次領域が存在することができる。
多くのＥＣ類似カード，ドングル及び鍵の変わりのＨＳＭキー。
ただ１つのＨＳＭキーにより、例えば次の仕事を行うことができる。
即ち金を下ろす（ＥＣカード，ＶＩＳＡカード，Ａｍｅｒｉｃａｎ  Ｅｘｐｒｅｓｓ，Ｍａｓｔｅｒカード等）。扉を開く（鍵又は符号カードの代用品）。労働口座を管理する（タイムカードの代用品）。認可された計算機プログラムの作動（ドングルの代用品）。
利用者自身が、任意の符号又は記号から成る任意の数及び任意の長さのパスワードを渡すことができる。
利用者自身が、カードのどの情報のためにどのパスワードを利用するかを決定する。例えば順次に入力すべき複数のパスワードのみでアクセス可能な領域も設けられる。
利用者自身が、カードのどの情報をどの施設へ伝送すべきかを決定することができる。
利用者自身が、どんなデータ書式及び／又はどんな記録書式でデータをカードに記憶すべきかを決定することができる。例えば緊急情報（例えば万一の事故のために糖尿病又は血液型の指示又は緊急の場合の電話番号）が、普通の規格化されたデータ書式及び記憶書式（例えば８ビット及び停止ビット及び同期化パルスを持つ２進記憶で、パスワードなしにＨＳＭキーに記憶され、口座アクセス権限のような高度安全性情報が、利用者により任意に規定されるデータ書式（例えば２９ビット及び種々の停止ビットレベル及び同期化パルスなしの三次記憶）で、８桁パスワードによりＨＳＭキーに記憶されることができる。
利用者に特有の個人の記録書式のため、ＨＳＭキー内容の権限のない読み取りの場合、これらの内容が分析されかつ評価されないようにすることができる。なぜならば、これらの内容は前もって再処理可能なデータ書式にされねばならないからである。
極めて小さい全体形状及び破壊及び曲げから保護されるケースへのため、データが機械的荷重により失われることがない。
ＨＳＭキーをドングル代用品として使用する場合、従来のドングル技術によっては回避不可能だったすべての安全隙間が閉じられる。種々のドングルの間の非両立性は、ドングルのコピー可能性、又は模擬としてちょうど同じようになくなる。
なぜならば、利用者自身が、ソフトウエア会社から送られたドングルデータをどこでどんな形で記憶するかを決定するからである。
例えば従来のＰＣにより、利用者が任意のデータをＨＳＭカードに記憶することも可能である。
2004521432.tif 000003
2004521432.tif 000004
2004521432.tif 000005
【国際公開パンフレット】
2004521432.tif 000006
2004521432.tif 000007
2004521432.tif 000008
2004521432.tif 000009
2004521432.tif 000010
2004521432.tif 000011
2004521432.tif 000012
2004521432.tif 000013
2004521432.tif 000014
2004521432.tif 000015
2004521432.tif 000016
2004521432.tif 000017
2004521432.tif 000018
2004521432.tif 000019
2004521432.tif 000020
2004521432.tif 000021
2004521432.tif 000022
2004521432.tif 000023
2004521432.tif 000024
2004521432.tif 000025
2004521432.tif 000026
【手続補正書】
【提出日】平成14年2月12日(2002.2.12)
【手続補正１】
【補正対象書類名】明細書
【補正対象項目名】全文
【補正方法】変更
【補正の内容】
【書類名】明細書
【発明の名称】記録システム
【特許請求の範囲】
【請求項１】データ媒体（１１）にデータを記録する記録システムであって、データが、データ媒体（１１）に、記録書式を持つデータ書式で記憶データとして記憶され、記録書式が第１の信号レベル及び第２の信号レベルを持ち、データ書式のパラメータが可変であるものにおいて、
記録書式及びデータ書式の各パラメータが、利用者により自由選択的に可変であることを特徴とする、記録システム。
【請求項２】データがアナログデータ流としてデータ媒体（１１）から読取られるか、又はこれに書き込まれることを特徴とする、請求項１に記載の記録システム。
【請求項３】なるべくプログラミング可能なＡ／Ｄ変換器（１５）を持つデータ媒体（１１）へ書き込み／又はこれから読取るためデータ媒体（１１）に付属する記憶手段（１３）を特徴とする、請求項１又は２に記載の記録システム。
【請求項４】若干数の第１の記憶データを第１のデータ書式において、第１の記録書式で記録した後、別の記憶データが第２のデータ書式において及び／又は第２の記録書式で記録されることを特徴とする、先行請求項の１つに記載の記録システム。
【請求項５】データ担体（１１）の記憶領域が、記憶データの記憶のため自由選択可能に配分可能であることを特徴とする、先行請求項の１つに記載の記録システム。
【請求項６】若干数の第２の記憶データの記録後、空データが記憶されることを特徴とする、先行請求項の１つに記載の記録システム。
【請求項７】記録システムの残りの成分から取出し可能な別のデータ媒体を特徴とする、先行請求項の１つに記載の記録システム。
【請求項８】権限のない利用に対して記憶媒体を保護するため、選択された記憶データが記憶媒体から別のデータ媒体へ移され、保護された記憶媒体を使用可能にするため、選択された記憶データが別のデータ媒体からデータ媒体へ戻し書き込みされることを特徴とする、先行請求項の１つに記載の記録システム。
【請求項９】データ媒体（１１）に、アクセス権限付与データなるべく少なくとも１つのパスワード特に複数の階層的に組織されたパスワードが記憶されていることを特徴とする、先行請求項の１つに記載の記録システム。
【請求項１０】データ媒体（１１）に、標準化された書式で、自由にアクセス可能なデータを記憶する少なくとも１つの第１の記憶領域、又は特別な情報を記憶する第２の記憶領域が設けられていることを特徴とする、先行請求項の１つに記載の記録システム。
【請求項１１】データ媒体（１１）が不揮発性メモリを持っていることを特徴とする、先行請求項の１つに記載の記録システム。
【発明の詳細な説明】
【０００１】
本発明は、データ媒体にデータを記録する記録システムであって、データが、データ媒体に、記録書式を持つデータ書式で記憶データとして記憶され、記録書式が第１の信号レベル及び第２の信号レベルを持ち、データ書式のパラメータが可変であるものに関する。
【０００２】
このような記録システムは例えば国際公開第９８／３９７４４号明細書から公知である。この公知の記録システムでは、符号化されたデータがデイジタル形式でチツプカードに記憶される。この記録システムでは種々のデータ書式ただし常に同じ記録書式が使用されるので、権限のないアクセスの場合、有効データが比較的簡単に読み取られて復号されることがある。
【０００３】
欧州特許出願公開第０６６４５０８号明細書からわかる記録システムでは、記憶すべきデータの必要に応じて、異なるデータ書式が使用される。この目的のため、円形及びらせん形の記録帯及び書簡が異なる記録密度で記述される。
【０００４】
本発明の基礎になっている問題は、データ媒体に記録されるデータが権限のないアクセスに対して有効に保護されるような記録システムを提示することである。
【０００５】
この問題は、最初にあげた種類の記録システムにおいて、記録書式及びデータ書式の各パラメータが、利用者により自由選択的に可変であることによって、解決される。こうして権限のないアクセスの際、データ書式も記録書式も識別不可能である。記録されている有効データは従って取出されないので、復号は不可能である。
【０００６】
本発明の実施例が図に基いて以下に説明される。
【０００７】
図１は、データ戻り保護の側で、いわゆるＨＳＭキーから任意のデイジタルデータを読み取るためのフローチャートを示している。
【０００８】
図２ａ〜２ｃは、約２〜７ＭＢの可能な記憶容量を持つＨＳＭキー基板の設計側を示している。可能な大きさ状態を明らかにするため、ＨＳＭキー基板のケースは図には示されていない。図にはＨＳＭキー基板１０，ＨＳＭキー１１及び接続接触子１２が示されている。別のデザイン，接続接触子及び／又は記憶容量も同様に可能である。
【０００９】
図３は、可能な大きさ状態を明らかにするためケースなしのＨＳＭアダプタ基板１３のデザイン例を示している。図３においてＨＳＭアダプタ基板１３は、プログラミング可能な時間モジュール１４，プログラミング可能なＡＤ／及びＤ／Ａ変換器モジュール１５及び差込み接触子１６を持っている。差込み接触子１６はＨＳＭキー用差込み接触子の例である。更にＨＳＭアダプタ基板１３には、プログラミング可能な書き込み−読み取り増幅器１７，可変アダプタモジュール１８及び差込み接続部１９が設けられている。可変アダプタモジュール１８は、ＨＳＭアダプタを種々のインタフェースへ接続するのに役立つ。
【００１０】
ＨＳＭアダプタの別のデザイン接続部及び／又はインタフェース変形例が可能である。ＨＳＭの記憶容量は、ＨＳＭアダプタの形式には関係していない。図２ａ〜３には、大きさの状態を明らかにするため、ＨＳＭキー及びＨＳＭアダプタの変形例の可能な外観のみが示されている。
【図面の簡単な説明】
【図１】
ＨＳＭキーから任意のデイジタルデータを読み取るためのフローチヤートを示す。
【図２ａ】
ＨＳＭキー基板の装備側の平面図を示す。
【図２ｂ】
ＨＳＭキー基板の裏側の平面図を示す。
【図２ｃ】
ＨＳＭキー基板の側面図を示す。
【図３】
ＨＳＭアダプタキー基板の平面図を示す。


【手続補正２】
【補正対象書類名】図面
【補正対象項目名】全図
【補正方法】変更
【補正の内容】
【図１】
2004521432.tif 000027
【図３】
2004521432.tif 000028
【国際調査報告】
2004521432.tif 000029
2004521432.tif 000030
2004521432.tif 000031
2004521432.tif 000032
2004521432.tif 000033
2004521432.tif 000034